(57)【要約】【課題】細長金属板でできている相手側端子が接続の際に端子台とぶつかって痛めてしまうことを防止した端子台を提供する。【解決手段】端子台２は、樹脂製の端子台本体１０と、端子台本体に固定される細長金属板の端子４を備える。端子台本体１０は、略直方体状である。端子台本体１０には、その前面に一対のガイド壁１２が突設されている。夫々のガイド壁１２は、上面が端子台本体１０の上面Ｔと面一で繋がっている。夫々のガイド壁１２はさらに、上前角部が上面から前面にかけて斜めに切り落とされおり、傾斜面１２ａが形成されている。他方、細長金属板の端子４は、端子台本体１０の背面Ｂに沿って伸びており、端子台本体１０の背面Ｂから上面Ｔに沿って湾曲している。さらに端子先端４ａが、一対のガイド壁１２の間に隠れるように上面から前面に沿って湾曲している。【選択図】図１
2013058332.tif 000002
【特許請求の範囲】
【請求項１】
樹脂で形成されている直方体状の端子台本体と、
端子台本体に固定される細長金属板の端子と、
を備えており、
端子台本体の前面に、上面が端子台本体の上面と面一に繋がる一対のガイド壁が突設されており、
夫々のガイド壁の上前角部が上面から前面にかけて斜めにカットされており、
前記端子は、端子台本体の背面に沿って伸びており、背面から上面に沿って湾曲しており、さらに端子先端が前記一対のガイド壁の間に入り込むように上面から前面に沿って湾曲している、ことを特徴とする端子台。
【発明の詳細な説明】
【技術分野】
【０００１】
本発明は、電子デバイス等において電気的結合のための端子を接続する端子台に関する。特に、接続する相手側の端子が細長金属板の場合に好適な端子台に関する。
【背景技術】
【０００２】
メンテナンスを行う必要のある電子デバイスの端子台は、相手側の端子（例えば電線の端部の端子）の着脱の作業性がよいことが望まれる。例えば、特許文献１には、複数の電線側端子が一括して機器側端子へ接続可能な状態にセットされるコネクタが提案されている。
【先行技術文献】
【特許文献】
【０００３】
【特許文献１】特開２００２−３１３４９６号公報
【発明の概要】
【発明が解決しようとする課題】
【０００４】
端子台に接続する相手側端子がリード線など柔軟である場合は良いが、相手側端子が細長金属板でできている場合は、相手側端子が電子デバイスの端子台そのもの、あるいは端子台側の金属部材（端子台側の端子）にぶつかり、曲がるなどして痛んでしまう虞がある。本明細書は、細長金属板で作られている相手側端子が接続の際に端子台とぶつかって痛めてしまうことを防止する端子台を提供する。
【課題を解決するための手段】
【０００５】
本明細書が開示する端子台は、樹脂製の端子台本体と、端子台本体に固定される細長金属板の端子（台側端子）を備える。端子台本体は、略直方体状である。端子台本体には、その前面に一対のガイド壁が突設されている。夫々のガイド壁は、上面が端子台本体の上面と面一に繋がっている。別言すれば、ガイド壁の上面は端子台本体の上面と同一平面を形成する。夫々のガイド壁はさらに、上前角部が上面から前面にかけて斜めにカットされている。他方、細長金属板の端子は、端子台本体の背面に沿って伸びており、端子台本体の背面から上面に沿って湾曲している。さらに端子先端が、上記一対のガイド壁の間に入り込むように端子台本体の上面から前面に沿って湾曲している。
【０００６】
上記の端子台では、台側端子の先端が湾曲しつつ端子台前端のガイド壁の間に入り込んでいる。相手側端子をこの端子台に接続しようとして近づける際、細長板状の相手側端子は、端子台側端子の先端湾曲部に案内されて、あるいは、ガイド壁の上前端部の傾斜面に案内されて、スムーズに端子台上面にて台側端子の金属板と重なるように進むことができる。特に、台側端子の先端はガイド壁の間に入り込んでいるので、相手側端子が台側端子の裏側へ潜り込んでしまうということがない。このように、本明細書が開示する端子台は、前面に、相手側端子を適正な方向へそらすような傾斜が設けてあるので相手側端子を痛めることがない。
【図面の簡単な説明】
【０００７】
【図１】端子台の斜視図である。
【図２】図１のII−II線に沿った断面図である。
【図３】端子台の分解斜視図である。
【図４】図３のIII−III線に沿った断面図である。
【図５】相手側バスバーが端子台に接近する様子を示した図である。
【発明を実施するための形態】
【０００８】
図面を参照して実施例の端子台２を説明する。端子台２は、例えば電気自動車のインバータ等に用いられる。電気自動車のインバータは、大きな電流を流すため、端子台で接続する相手側の端子も、ワイヤ等ではなく、バスバーと呼ばれる、細長の金属板片が用いられる。図１、図２に示すように、端子台２は、相手側バスバー４０（相手側端子）を、ボルト４２で固定するためのものである。端子台２は、樹脂製の本体１０と、台側端子４で構成される。本体１０は、略直方体である。本体の直方体６面のうち、符号Ｆが示す面を前面と称し、符号Ｔが示す面を上面と称し、符号Ｂが示す面を背面と称する。これは、図２に示すように、相手側バスバー４０が、本体１０の前面Ｆ側から近づくからである。
【０００９】
台側端子４は、細長い板状の金属で作られている。台側端子４は、概説するとコの字型に湾曲しており、本体１０の底面、背面Ｂ、及び上面Ｔに沿って取り付けられる。本体１０の底孔１４にナット２１が嵌挿されており、台側端子４を本体に取り付けた後、ボルトを底孔４ｃ及びナット２１に通し、台側端子４は固定される。
【００１０】
台側端子４は、本体１０の背面Ｂから上面Ｔに沿って、及び、上面Ｔから前面Ｆに沿って、湾曲している。端子台４の先端４ａは、本体１０の前面Ｆに設けられた一対のガイド壁１２（後述）の間に入り込むように湾曲している。台側端子４の一つの平面であって本体１０の上面Ｔに対向する面にはボルトを通す上孔４ｂが設けられている。
【００１１】
本体１０の構造について説明する。本体１０の前面Ｆには、一対のガイド壁１２が突設されている。一対のガイド壁１２は、平行であり、その突条（壁自体）は本体１０の上下方向に伸びている。一対のガイド壁１２の上面は、本体１０の上面Ｔと面一である。別言すれば、ガイド壁１２の上面は本体１０の上面Ｔと同一平面を形成する。夫々のガイド壁１２の上前角部は、その上面から前面にかけて斜めにカットされており、夫々のガイド壁１２の上前部には傾斜面１２ａが形成されている。一対のガイド壁１２の間の幅は、ちょうど台側端子４の先端４ａの幅に等しい。本体１０の上面Ｔにはナット２０を嵌挿する上孔１３が設けられている。また、本体１０の背面Ｂには、上孔１３に達する切欠１３ａが形成されている。また、本体１０の前面Ｆにも、上孔１３に達する切欠１３ｂが形成されている。切欠１３ａ、１３ｂの大きさは、ちょうど台側端子４の湾曲した先端４ａが通る大きさである。この切欠１３ａ、１３ｂの存在によって、台側端子４を、本体１０の後側から組み付けることができるようになっている。
【００１２】
図１に示すように、相手側バスバー４０を端子台２に連結する際には、相手側バスバー４０を、その締結孔４０ａが台側端子４の上孔４ｂと重なるようにセットする。そうして、ボルト４２を締結孔４０ａ、上孔４ｂに通し、本体１０の上孔１３に嵌挿されているナット２０に締め込む。こうして、相手側バスバー４０が端子台２に固定される。
【００１３】
端子台２の利点を説明する。図１、図２から明らかなように、台側端子４は、本体１０の上面Ｔから前面Ｆに沿って湾曲しており、先端４ａは、一対のガイド壁１２の間に入り込んでいる。従って、図５に示すように、相手側バスバー４０が本体１０の前方から接近すると、相手側バスバー４０の先端は、ガイド壁１２の傾斜面１２ａ、あるいは、台側端子４の前部湾曲部Ｒに突きあたる。相手側バスバー４０がさらに接近すると、相手側バスバー４０の先端は、傾斜面１２ａあるいは前部湾曲部Ｒに案内されて上方にシフトし、本体１０の上面Ｔに沿って進む。こうして、相手側バスバー４０は、台側端子４の上面Ｔと重なるようにスムーズに進む。このように、ガイド壁１２の傾斜面１２ａと、台側端子４の前部湾曲部Ｒの存在により、相手側バスバー４０は、本体１０に強くぶつかって痛んでしまうことはない。特に、台側端子４の先端が一対のガイド壁１２の間に入り込んでいるので、相手側バスバー４０が台側端子４の裏側へ潜り込んでしまうことはない。
【００１４】
実施例の端子台２についての留意点を述べる。台側端子４は、本体１０の背面Ｂに沿って伸びており、背面Ｂから上面Ｔに沿って湾曲しており、さらに端子先端４ａが上面Ｔから前面Ｆに沿って湾曲している。ここで、「背面Ｂ」、「上面Ｔ」、及び、「前面Ｆ」という表現は、説明のための便宜上の呼称である。より一般的には次のとおり表現することができる。即ち、台側端子４は、本体１０の一の面（第１の面）に沿って伸びており、第１の面から、第１の面に隣接する第２の面に沿って湾曲しており、さらに端子先端４ａが、第２の面から、第１の面に対向する第３の面に沿って湾曲している。
【００１５】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００１６】
２：端子台
４：台側端子
４ａ：台側端子先端
４ｃ：孔
１０：端子台本体
１２：ガイド壁
１２ａ：傾斜面
１３：孔
１３ａ、１３ｂ：切欠
４０：相手側バスバー
Ｂ：背面
Ｆ：前面
Ｒ：前部湾曲部
Ｔ：上面
【図１】
2013058332.tif 000003
【図２】
2013058332.tif 000004
【図３】
2013058332.tif 000005
【図４】
2013058332.tif 000006
【図５】
2013058332.tif 000007